(57)【要約】【課題】作業負担を減らすことができる薬剤登録装置およびプログラムを提供する。【解決手段】薬剤登録装置は、読取手段と、登録手段と、生成手段と、印字制御手段と、を備える。前記読取手段は、使用された薬剤を識別する識別情報を読み取る。前記登録手段は、前記読取手段が読み取った前記識別情報と、当該識別情報に対応する薬剤の使用本数とを含んだ使用薬剤情報を記憶部に登録する。前記生成手段は、前記使用薬剤情報をコード化したコードシンボルを生成する。前記印字制御手段は、前記生成手段によって生成された前記コードシンボルを所定の用紙に印字出力する。【選択図】図１
2015158741.tif 000002
【特許請求の範囲】
【請求項１】
使用された薬剤を識別する識別情報を読み取る読取手段と、
前記読取手段が読み取った前記識別情報と、当該識別情報に対応する薬剤の使用本数とを含んだ使用薬剤情報を記憶部に登録する登録手段と、
前記使用薬剤情報をコード化したコードシンボルを生成する生成手段と、
前記生成手段によって生成された前記コードシンボルを所定の用紙に印字出力する印字制御手段と、
を備える薬剤登録装置。
【請求項２】
前記印字制御手段は、前記使用薬剤情報を表す文字列と、当該使用薬剤情報の前記コードシンボルとを対応付けて印字出力する、
請求項１に記載の薬剤登録装置。
【請求項３】
前記生成手段は、前記使用薬剤情報ごとに前記コードシンボルを生成する、
請求項２に記載の薬剤登録装置。
【請求項４】
前記生成手段は、複数の前記使用薬剤情報から一つの前記コードシンボルを生成する、
請求項２に記載の薬剤登録装置。
【請求項５】
前記生成手段は、一連の薬剤を読み取る際に設定された基本情報から前記コードシンボルを生成し、
前記印字制御手段は、前記薬剤使用情報のコードシンボルと、前記基本情報のコードシンボルとを印字出力する、
請求項２〜４の何れか一項に記載の薬剤登録装置。
【請求項６】
コンピュータを、
使用された薬剤を識別する識別情報を読み取る読取手段と、
前記読取手段が読み取った前記識別情報と、当該識別情報に対応する薬剤の使用本数とを含んだ使用薬剤情報を記憶部に登録する登録手段と、
前記使用薬剤情報をコード化したコードシンボルを生成する生成手段と、
前記生成手段によって生成された前記コードシンボルを所定の用紙に印字出力する印字制御手段と、
として機能させるプログラム。
【発明の詳細な説明】
【技術分野】
【０００１】
本発明の実施形態は、薬剤登録装置およびプログラムに関する。
【背景技術】
【０００２】
従来、薬剤の取り違い等の過誤の発生を防止するために幾つかのシステムが提案されている。例えば、特許文献１記載のシステムにおいては、投薬しようとしている薬剤の容器に付されたバーコードで特定される薬剤情報と、投薬すべき薬剤の情報とを照合し、薬剤の誤使用を防止している。
【０００３】
一方、使用した薬剤の登録においては、看護師が、手術等で使用された薬剤の空容器を集め、使用薬剤についての集計結果を伝票に手作業で記入した後、伝票を医事部門へ提出することで、使用された薬剤について、患者および健康保険組合に代金が請求されている。そこで、使用した薬剤の集計作業時においても、薬剤に付されたバーコードを用いて登録し、伝票を印字する装置を導入する方策が考えられる。
【０００４】
上述のような装置においては、薬剤名が印字された伝票を見て、医事部門の担当者が再度入力しなければならず、医事部門の担当者の作業負担が軽減されず、入力ミスも削減されない。そこで、ネットワークを介して手術室で登録された情報を送信することで、作業負担を減らし、入力ミスを削減することができると考えられる。
【０００５】
しかしながら、ネットワークを介して送信するためには、ネットワークでシステム間を接続するためのソフトウェアを開発する必要がある。また、そもそも手術室には、ネットワーク回線が無い場合もある。
【発明の概要】
【発明が解決しようとする課題】
【０００６】
本発明が解決しようとする課題は、作業負担を減らすことができる薬剤登録装置およびプログラムを提供することである。
【課題を解決するための手段】
【０００７】
実施形態の薬剤登録装置は、読取手段と、登録手段と、生成手段と、印字制御手段と、を備える。前記読取手段は、使用された薬剤を識別する識別情報を読み取る。前記登録手段は、前記読取手段が読み取った前記識別情報と、当該識別情報に対応する薬剤の使用本数とを含んだ使用薬剤情報を記憶部に登録する。前記生成手段は、前記使用薬剤情報をコード化したコードシンボルを生成する。前記印字制御手段は、前記生成手段によって生成された前記コードシンボルを所定の用紙に印字出力する。
【図面の簡単な説明】
【０００８】
【図１】図１は、実施形態にかかる薬剤管理システムの概要構成を示すブロック図である。
【図２】図２は、薬剤登録装置の外観を示す正面図である。
【図３】図３は、薬剤登録装置のハードウェア構成を示すブロック図である。
【図４】図４は、使用薬剤記憶テーブルのデータ構成例を示す図である。
【図５】図５は、医事用の情報処理端末のハードウェア構成を示すブロック図である。
【図６】図６は、薬剤登録装置と医事用の情報処理装置との機能構成を示すブロック図である。
【図７】図７は、使用薬剤登録処理の流れを示すフローチャートである。
【図８】図８は、ログイン画面の一例を示す説明図である。
【図９】図９は、患者登録画面の一例を示す説明図である。
【図１０】図１０は、薬剤登録画面の一例を示す説明図である。
【図１１】図１１は、薬剤の使用品伝票を示す正面図である。
【図１２】図１２は、読取用の薬剤の使用品伝票を示す正面図である。
【図１３】図１３は、請求データ生成処理の流れを示すフローチャートである。
【発明を実施するための形態】
【０００９】
図１は、実施形態にかかる薬剤管理システム１０の概要構成を示すブロック図である。図１に示すように、薬剤管理システム１０は、電子カルテサーバ１１と、医師用の情報処理端末装置１２と、看護師用の情報処理端末装置１３と、薬剤監査装置１４と、医事用の情報処理端末装置１８と、薬剤部サーバ１９と、薬剤登録装置２０と、を備えている。
【００１０】
上記構成において、電子カルテサーバ１１、医師用の情報処理端末装置１２、看護師用の情報処理端末装置１３、薬剤監査装置１４、薬剤部サーバ１９及び医事用の情報処理端末装置１８は、通信ネットワーク１７に接続されている。
【００１１】
電子カルテサーバ１１は、電子カルテを管理し、記憶するための装置である。医師用の情報処理端末装置１２は、電子カルテの記入などを行うための装置である。看護師用の情報処理端末装置１３は、電子カルテサーバ１１が管理する電子カルテの参照及び確認を行うための装置である。薬剤監査装置１４は、電子カルテに含まれる指示書情報（例えば、処方箋情報）に基づいて薬剤の取揃え等の支援および監査を行うための装置である。薬剤部サーバ１９は、薬剤部に配置され薬剤払出等を管理するための装置である。また、薬剤部サーバ１９は、薬剤のコード情報または薬剤の外面情報（薬剤のラベルを表す特徴量、薬剤の色合いや表面の凹凸状況等の表面の状態を表す特徴量など）に対応付けて薬剤に係る薬剤情報（名称、量など）を登録している。
【００１２】
医事用の情報処理端末装置１８は、使用された薬剤について患者や健康保険組合などに代金を請求するために情報を登録するための装置である。
【００１３】
薬剤登録装置２０は、手術室に配置され、看護師によって手術中に使用された薬剤、あるいは救急の場などにおいて看護師や薬剤師等によって緊急的に使用された薬剤の登録支援を行うための装置である。本実施形態において、薬剤データ入力装置である薬剤登録装置２０は、手術室に配置されるものであって、看護師によって手術中に使用された薬剤の登録支援に用いられることを想定する。また、薬剤登録装置２０は、手術室に備えられているが、手術室には通信ネットワーク１７が備えられていないために通信ネットワーク１７に接続されていないことを想定する。
【００１４】
薬剤登録装置２０は、使用された薬剤について記載された使用品伝票Ｄ１を印字する。そして、医事用の情報処理端末装置１８は、使用品伝票Ｄ１に印字されている、使用された薬剤についての情報を読み取ることができる。
【００１５】
図２は、薬剤登録装置２０の外観を示す正面図である。図２に示すように、薬剤登録装置２０は、大別すると、薬剤登録装置２０の制御主体となる装置本体部２４と、スキャナ２２と、各種情報をプリントアウトするためのプリンタ２３とを備えている。
【００１６】
装置本体部２４は、オペレータとなる看護師が各種操作を行うとともに、使用された薬剤のリスト等の各種情報を表示可能なタッチパネルディスプレイ２１を備えている。
【００１７】
スキャナ２２は、カラーＣＣＤ（Charge  Coupled  Device）イメージセンサやカラーＣＭＯＳ（Complementary  Metal-Oxide  Semiconductor）イメージセンサ等のイメージセンサとＬＥＤ（Light  Emitting  Diode）などの光源とを有している。スキャナ２２は、看護師ＩＤ（IDentification）のコードシンボル、患者ＩＤのコードシンボル、薬剤のコードシンボル、薬剤の画像などの撮像を行う。スキャナ２２が所定のフレームレートで順次撮像したフレーム画像（撮像画像）は、後述するＲＡＭ（Random  Access  Memory）３３（図３参照）に保存される。
【００１８】
なお、スキャナ２２は、図２に示すようなテーブル上に載置する形状に限るものではなく、床上に立設させるスタンド形状であってもよい。
【００１９】
また、薬剤登録装置２０は、薬剤の重量を測定する秤や、薬剤に付されたＲＦＩＤ（Radio  Frequency  IDentification）との間でデータの読取り／書込みを行うＲＦＩＤリーダライタ等を備えていてもよい。
【００２０】
図３は、薬剤登録装置２０のハードウェア構成を示すブロック図である。図３に示すように、薬剤登録装置２０は、装置全体を制御するＭＰＵ（Micro  Processing  Unit）３１と、ＲＯＭ（Read  Only  Memory）３２と、ＲＡＭ３３と、外部記憶装置３４とを装置本体部２４に備えている。ＲＯＭ３２は、制御プログラムを含む各種データを不揮発的に記憶する。ＲＡＭ３３は、ワークエリアとして機能するとともに、各種データを一時的に記憶する。外部記憶装置３４は、データベース等の大容量データや制御プログラムを記憶可能なハードディスクドライブ、ＳＳＤ（Solid  State  Drive）によって構成されている。
【００２１】
ここで、タッチパネルディスプレイ２１、スキャナ２２、プリンタ２３及びスピーカ３７は、入出力Ｉ／Ｏ３９を介してバス４０に接続されている。このバス４０には、ＭＰＵ３１、ＲＯＭ３２、ＲＡＭ３３及び外部記憶装置３４が接続されている。スピーカ３７は、警告音を発する場合などに使用される。
【００２２】
なお、タッチパネルディスプレイ２１は、表示部であるディスプレイ３５及びタッチパネル３６を主体に構成されている。
【００２３】
また、記憶部である外部記憶装置３４は、薬剤マスタＤＢ１と、使用薬剤記憶テーブルＴとを備える。薬剤マスタＤＢ１は、コード情報と、薬剤名称と、薬剤情報とを関連付けて記憶する。コード情報は、薬剤を識別するための識別子である。例えば、コード情報とは、バーコードに付されている番号である。
【００２４】
薬剤情報とは、薬剤の情報である。薬剤情報とは、例えば、形状、製薬会社、成分、効能効果、用法用量、対象疾患名、剤形、禁忌薬剤などの情報ある。形状とは、アンプルやバイアルなどの容器の形状を示す。製薬会社とは、薬剤を製造した企業を示す。成分とは、薬剤の効力をもつ成分を示す。効能効果とは、薬剤を使用したことにより得られる効果を示す。用法用量とは、薬剤の使用方法を示す。対象疾患名とは、薬剤が治療の対象としている疾患名を示す。剤形とは、錠剤、散剤、カプセル、注射剤などの目的や用途により加工された薬剤の形状を示す。禁忌薬剤とは、併用すると危険をもたらす薬剤を示す。
【００２５】
使用薬剤記憶テーブルＴは、使用された薬剤の集計結果などを含む使用薬剤記憶情報を記憶する。ここで、図４は、使用薬剤記憶テーブルＴのデータ構成例を示す図である。使用薬剤記憶テーブルＴは、大別すると、基本情報と、１以上の使用薬剤情報と、を有した使用薬剤記憶情報を記憶する。
【００２６】
基本情報は、薬剤を使用した日時や場所や患者などの情報を含む。具体的には、基本情報は、出力日時と、処置日時と、発行場所と、作業者識別情報と、患者識別情報と、使用薬剤合計数と、を備える。出力日時は、使用薬剤記憶情報を出力した日時についての情報である。処置日時は、患者に薬剤を使用した日時についての情報である。発行場所は、使用薬剤記憶情報を発行した場所についての情報である。言い換えると、発行場所は、使用薬剤記憶情報を発行した薬剤登録装置２０が設置されている場所についての情報である。なお、設置場所は、薬剤登録装置２０を導入した際に、設定される情報である。作業者識別情報は、本情報を作成した作業者についての情報である。患者識別情報は、患者を識別する情報である。使用薬剤合計数は、患者に使用された薬剤の合計数についての情報である。
【００２７】
使用薬剤情報は、薬剤識別情報と、使用本数と、定数と、を備える。薬剤識別情報は、使用された薬剤の識別情報である。使用本数は、薬剤識別情報を有している薬剤が使用された本数を示す情報である。定数は、薬剤識別情報を有している薬剤が処置場所に常備されている本数を示す情報である。
【００２８】
このような構成により、薬剤登録装置２０のＭＰＵ３１は、ＲＯＭ３２や外部記憶装置３４に記憶された制御プログラムに従って動作することで、使用された薬剤の登録支援を行う。
【００２９】
次に、医事用の情報処理端末装置１８について説明を行う。医事用の情報処理端末装置１８は、一般的なパーソナルコンピュータにスキャナ５８を備えたものである。
【００３０】
図５は、医事用の情報処理端末装置１８のハードウェア構成を示すブロック図である。図５に示すように、装置全体を制御するＭＰＵ５１は、バス５６を介して、ＲＯＭ５２と、ＲＡＭ５３と、外部記憶装置５４と、入出力Ｉ／Ｏ５５と接続されている。入出力Ｉ／Ｏ５５は、ディスプレイ５７と、スキャナ５８と、キーボード５９と、プリンタ６０と、通信インタフェース６１とが接続されている。ＲＯＭ５２は、制御プログラムを含む各種データを不揮発的に記憶する。ＲＡＭ５３は、ワークエリアとして機能するとともに、各種データを一時的に記憶する。外部記憶装置３４は、データベース等の大容量データや制御プログラムを記憶可能なハードディスクドライブ、ＳＳＤによって構成されている。
【００３１】
また、外部記憶装置５４は、薬剤マスタＤＢ２を備える。薬剤マスタＤＢ２は、前述の薬剤マスタＤＢ１と同様の内容を記憶している。通信インタフェース６１は、通信ネットワーク１７を介して電子カルテサーバ１１や、薬剤部サーバ１９や、薬剤登録装置２０と通信することが可能である。そして、通信ネットワーク１７は、インターネット等を介して健康保険組合の情報処理端末と通信することができてもよい。
【００３２】
次に、実施形態にかかる薬剤登録装置２０と、医事用の情報処理端末装置１８とが有する特徴的な機能について説明する。図６は、薬剤登録装置２０と、医事用の情報処理端末装置１８との機能構成を示すブロック図である。薬剤登録装置２０のＭＰＵ３１は、ＲＯＭ３２や外部記憶装置３４に記憶された制御プログラムに従って動作することで、図６に示すように、読取手段３１１と、識別手段３１２と、登録手段３１３と、表示制御手段３１４と、生成手段３１５と、印字制御手段３１６と、として機能する。医事用の情報処理端末装置１８のＭＰＵ５１は、ＲＯＭ５２や外部記憶装置５４に記憶された制御プログラムに従って動作することで、図６に示すように、読取手段５１１と、記憶手段５１２と、変換手段５１３と、印字制御手段５１４と、として機能する。
【００３３】
まず、薬剤登録装置２０が有している機能構成について説明を行う。
【００３４】
読取手段３１１は、スキャナ２２がスキャンした撮像画像から、薬剤の識別子を読み取る。具体的には、読取手段３１１は、使用される薬剤に付されたコードシンボルのコード情報または使用される薬剤の全部または一部の外面情報を読み取る。バーコードや二次元コードなどのコードシンボルからコード情報を検出する処理については、従来からある技術なのでここでの説明は省略する。
【００３５】
識別手段３１２は、読取手段３１１による読み取り結果として得られた情報（コード情報または外面情報）に基づいて薬剤を識別して薬剤情報を抽出する。また、薬剤の外面情報に基づいて薬剤を識別する方法は、予めコード情報に対応付けて薬剤の外面情報をテーブルとして記憶しておき、外面情報に基づく薬剤の薬剤情報をテーブルから抽出するようにすればよい。
【００３６】
登録手段３１３は、識別手段３１２で識別された薬剤を外部記憶装置３４の使用薬剤記憶テーブルＴに登録する。その際に、登録手段３１３は、識別手段３１２で識別された薬剤の使用に関する情報を使用薬剤記憶テーブルＴに登録する。具体的には、登録手段３１３は、薬剤の使用に関する情報として使用本数などの情報を使用薬剤情報として使用薬剤記憶テーブルＴに登録する。
【００３７】
表示制御手段３１４は、使用薬剤記憶テーブルＴに記憶された薬剤を表示部であるタッチパネルディスプレイ２１に表示させる制御を行う。
【００３８】
生成手段３１５は、登録手段３１３が使用薬剤記憶テーブルＴに記憶した基本情報と、使用薬剤情報とをコード化したコードシンボルを生成する。コードシンボルとは、例えば、バーコードやＱＲコード（登録商標）などである。その際、生成手段３１５は、使用薬剤情報ごとにコードシンボルを生成する。
【００３９】
また、生成手段３１５は、使用薬剤記憶テーブルＴに記憶された情報をコード化する際に、基本情報と、使用薬剤情報とに分けてコードシンボルを生成する。これにより、基本情報と、使用薬剤情報とを一つのコードシンボルに印字する場合と比べて、情報量が少ないことからコードシンボルを小さくすることができる。よって、用紙を有効活用することが可能となる。
【００４０】
また、生成手段３１５は、複数の使用薬剤情報から一つのコードシンボルを生成してもよい。これにより、オペレータは、コードシンボルを読み取らせる数が少なくなることから、作業負担が軽減される。
【００４１】
印字制御手段３１６は、生成手段３１５によって生成されたコードシンボルを、印字部であるプリンタ２３に所定の用紙に印字出力させる。また、印字制御手段３１６は、使用薬剤情報を表す文字列と、当該使用薬剤情報のコードシンボルとを対付けて印字出力する。これにより、オペレータ（看護師）は、コードシンボルが示している内容を把握することが可能となる。
【００４２】
なお、生成手段３１５が複数の使用薬剤情報から一つのコードシンボルを生成した場合には、印字制御手段３１６は使用薬剤情報を表す文字列を印字しなくてもよい。
【００４３】
次に、医事用の情報処理端末装置１８が有している機能構成について説明を行う。
【００４４】
読取手段５１１は、スキャナ５８がスキャンしたコードシンボルから情報を読み取る。具体的には、読取手段５１１は、薬剤登録装置２０のプリンタ２３によって印字されたコードシンボルを読み取ることで、コードシンボルに記録されている基本情報と、使用薬剤情報とを読み取る。
【００４５】
記憶手段５１２は、読取手段５１１が読み取った情報を外部記憶装置５４に記憶させる。
【００４６】
変換手段５１３は、記憶手段５１２が外部記憶装置５４に記憶させた情報を請求に用いる形式に変換する。請求に用いる形式とは、例えば、請求書などの書面に印字するための形式や、請求する情報を電子データとして送信するための形式などである。
【００４７】
印字制御手段５１４は、変換手段５１３が変換した情報を請求書や、記録用の書面としてプリンタ６０に印字させる制御を行う。
【００４８】
次に、上述した実施形態にかかる薬剤登録装置２０のＭＰＵ３１が制御プログラムに従って実行する使用薬剤登録処理について説明する。実施形態にかかる薬剤登録装置２０は、使用された薬剤のコードシンボルや薬剤の画像などをスキャンし、薬剤登録処理を実行する。
【００４９】
図７は、薬剤登録装置２０のＭＰＵ３１が制御プログラムに従って実行する使用薬剤登録処理の流れを示すフローチャートである。図７に示すように、薬剤登録装置２０のＭＰＵ３１は、初期状態として、ディスプレイ３５にログイン画面Ｇ１を表示する（ステップＳ１１）。薬剤登録装置２０の操作が許可されている各オペレータ（看護師）は、ＩＤカードを有し、ＩＤカードの認証により薬剤登録装置２０の操作が可能になるものとする。
【００５０】
図８は、ログイン画面Ｇ１の一例を示す説明図である。ログイン画面Ｇ１には、図８に示すように、「ＩＤカードを読み取らせてください。」というガイドコメントが表示される。また、ログイン画面Ｇ１は、ＩＤカードに付されている看護師ＩＤのコードシンボルをスキャナ２２に読み込ませることを促すガイド画像を表示する。
【００５１】
したがって、オペレータ（看護師）は、ログイン処理を行うために、自己のＩＤカードに付された看護師ＩＤのコードシンボルをスキャナ２２の前にかざして、看護師ＩＤを読み込ませる。
【００５２】
薬剤登録装置２０のＭＰＵ３１は、ログイン処理により看護師ＩＤを認証すると（ステップＳ１２；Ｙｅｓ）、ディスプレイ３５の表示画面に患者登録画面Ｇ２を表示する（ステップＳ１３）。なお、薬剤登録装置２０のＭＰＵ３１は、看護師ＩＤが認証できない場合に（ステップＳ１２；Ｎｏ）、ステップＳ１１に戻り、ログイン画面Ｇ１を再度表示する。
【００５３】
図９は、患者登録画面Ｇ２の一例を示す説明図である。患者登録画面Ｇ２には、図９に示すように、「患者ＩＤを読み取らせてください。」というガイドコメントが表示される。また、患者登録画面Ｇ２は、患者のリストバンドに付されている患者ＩＤのコードシンボルをスキャナ２２に読み込ませることを促すガイド画像を表示する。
【００５４】
したがって、オペレータ（看護師）は、患者登録処理を行うために、患者のリストバンドに付されている患者ＩＤのコードシンボルをスキャナ２２の前にかざして、患者ＩＤを読み込ませる。
【００５５】
薬剤登録装置２０のＭＰＵ３１は、患者ＩＤが登録できない場合に（ステップＳ１４；Ｎｏ）、ステップＳ１３に戻り、患者登録画面Ｇ２を再度表示する。一方、薬剤登録装置２０のＭＰＵ３１は、患者登録処理により患者ＩＤを登録すると（ステップＳ１４；Ｙｅｓ）、ディスプレイ３５の表示画面に薬剤登録開始画面（不図示）を表示させる（ステップＳ１５）。薬剤登録開始画面は、薬剤のコードシンボルの読み取らせ方を表示する画面である。
【００５６】
したがって、オペレータ（看護師）は、薬剤登録処理を行うために、薬剤に付されているコードシンボルをスキャナ２２の前にかざして、薬剤の識別情報を読み込ませる。
【００５７】
薬剤登録装置２０のＭＰＵ３１は、薬剤の識別情報を検知するか否かを判定する（ステップＳ１６）。薬剤の識別情報を検知しない場合に（ステップＳ１６；Ｎｏ）、薬剤登録装置２０のＭＰＵ３１は、ステップＳ１６に待機する。一方、薬剤の識別情報を検知した場合に（ステップＳ１６；Ｙｅｓ）、薬剤登録装置２０のＭＰＵ３１は、読み取った薬剤の識別情報を使用薬剤記憶テーブルＴに記憶する（ステップＳ１７）。
【００５８】
次いで、薬剤登録装置２０のＭＰＵ３１は、薬剤登録画面Ｇ３を表示する（ステップＳ１８）。薬剤登録画面Ｇ３は、登録された薬剤の一覧を表示する画面である。ここで、図１０は、薬剤登録画面Ｇ３の一例を示す説明図である。薬剤登録画面Ｇ３は、大別すると、薬剤一覧表示領域Ｒ１と、印刷ボタンＢ１とを備える。
【００５９】
薬剤一覧表示領域Ｒ１は、薬剤名表示領域Ｒ１１と、数量表示領域Ｒ１２と、合計点数表示領域Ｒ１３とを備える。薬剤名表示領域Ｒ１１は、薬剤名称を表示する領域である。数量表示領域Ｒ１２は、薬剤名表示領域Ｒ１１に登録された薬剤の数量を表示する領域である。合計点数表示領域Ｒ１３は、登録された薬剤の合計数を表示する領域である。印刷ボタンＢ１は、使用薬剤記憶テーブルＴに登録された薬剤の伝票を印刷する場合に押下するボタンである。
【００６０】
次いで、薬剤登録装置２０のＭＰＵ３１は、印刷ボタンＢ１の押下を検知するか否かを判定する（ステップＳ１９）。印刷ボタンＢ１の押下が検知されない場合に（ステップＳ１９；Ｎｏ）、薬剤登録装置２０のＭＰＵ３１は、ステップＳ１６に戻る。一方、印刷ボタンＢ１の押下を検知した場合に（ステップＳ１９；Ｙｅｓ）、薬剤登録装置２０のＭＰＵ３１は、薬剤の使用品伝票Ｄ１を印刷する（ステップＳ２０）。
【００６１】
ここで、図１１は、薬剤の使用品伝票Ｄ１を示す正面図である。使用品伝票Ｄ１は、図１１に示すように、使用薬剤記憶テーブルＴに登録された薬剤の一覧を印字した伝票である。使用品伝票Ｄ１は、大別すると、ヘッダ欄Ｄ１１と、基本情報欄Ｄ１２と、使用薬剤データ欄Ｄ１３と、承認印欄Ｄ１４とを備えている。ヘッダ欄Ｄ１１は、伝票名称が印字される欄である。
【００６２】
基本情報欄Ｄ１２は、薬剤登録装置２０に薬剤を読み取らせる際に設定された情報が印字される欄である。すなわち、基本情報欄Ｄ１２は、使用薬剤記憶テーブルＴに記憶された基本情報が印字される欄である。そして、基本情報欄Ｄ１２は、出力日時と、処置日時と、発行場所と、作業者情報と、患者情報と、基本情報コードシンボルＭ１とが印字される。出力日時は、使用薬剤記憶情報を出力した日時が印字される。処置日時は、患者に薬剤を使用した日時が印字される。発行場所は、使用薬剤記憶情報を発行した薬剤登録装置２０が設置されている場所が印字される。作業者情報は、薬剤登録を行った作業者氏名が印字される。すなわち、作業者情報は、使用薬剤記憶テーブルＴに記憶された作業者識別情報に関連付けられている作業者氏名が印字される。患者情報は、患者の氏名、年齢および性別が印字される。すなわち、患者情報は、使用薬剤記憶テーブルＴに記憶された患者識別情報に関連付けられている患者氏名、年齢および性別が印字される。基本情報コードシンボルＭ１は、使用薬剤記憶テーブルＴに記憶された基本情報をコード化したコードシンボルを印字したものである。
【００６３】
使用薬剤データ欄Ｄ１３は、使用された薬剤に関する情報を印字する欄である。使用薬剤データ欄Ｄ１３は、Ｎｏ列と、薬品名列と、単位列と、本数列と、定数列と、使用薬剤情報コードシンボルＭ２とが印字される。Ｎｏ列は、分類名と、項目Ｎｏとが印字される。分類名は、薬剤の分類の名称である。図１１は、常用薬剤と、アブレーションと、その他とが印字された状態を示している。項目Ｎｏは、薬剤種別ごとに付与される一連の番号であって、分類名が異なる場合であっても一連の番号が継続して付与される。
【００６４】
薬品名列は、薬剤名と、薬剤のコード番号とが印字される列である。薬剤名には、薬剤の名称が印字される。薬剤のコード番号は、薬剤のコードシンボルに付されている番号である。
【００６５】
使用薬剤情報コードシンボルＭ２は、使用薬剤記憶テーブルＴに記憶された使用薬剤情報をコード化したコードシンボルを印字したものである。使用薬剤情報コードシンボルＭ２は、薬剤ごとに印字され、使用薬剤情報コードシンボルＭ２が示している使用薬剤情報の傍近に印字される。図１１は、使用薬剤情報コードシンボルＭ２が示している使用薬剤情報が文字にて印字されている左側に、対応する使用薬剤情報コードシンボルＭ２が印字されている。
【００６６】
承認印欄Ｄ１４は、承認印を捺印する欄が印字される領域である。
【００６７】
なお、基本情報コードシンボルＭ１と、使用薬剤情報コードシンボルＭ２とを、別紙に印刷する形体としてもよい。例えば、コードシンボルは、医事用の情報処理端末装置１８が読み取る専用の用紙にまとめて印字してもよい。図１２は、読取用の薬剤の使用品伝票Ｄ２を示す正面図である。読取用の使用品伝票Ｄ２は、ヘッダ領域Ｄ２１と、基本情報領域Ｄ２２と、使用薬剤情報領域Ｄ２３とを備える。ヘッダ領域Ｄ２１は、伝票名称が印字される欄である。読取用の薬剤の使用品伝票Ｄ２においては、図１２に示すように、読取用であることが印字される。基本情報領域Ｄ２２は、基本情報コードシンボルＭ１が印字される欄である。使用薬剤情報領域Ｄ２３は、複数の使用薬剤情報コードシンボルＭ２が印字される欄である。
【００６８】
また、使用薬剤情報コードシンボルＭ２は、複数の使用薬剤情報をまとめて一つのコードシンボルにして印字されてもよい。この場合には、コードシンボルの印字面積を広くして、コードシンボルの１個あたりの情報量を増やしてもよい。または、ｉＱＲコード（登録商標）などの情報量の多いコードシンボルを採用してもよい。
【００６９】
次に、上述した実施形態にかかる医事用の情報処理端末装置１８のＭＰＵ５１が制御プログラムに従って実行する請求データ生成処理について説明する。実施形態にかかる医事用の情報処理端末装置１８は、薬剤の使用品伝票Ｄ１に印字されたコードシンボルをスキャンし使用された薬剤を登録することで、請求データ生成処理を実行する。
【００７０】
図１３は、医事用の情報処理端末装置１８のＭＰＵ５１が制御プログラムに従って実行する請求データ生成処理の流れを示すフローチャートである。図１３に示すように、医事用の情報処理端末装置１８のＭＰＵ５１は、薬剤の使用品伝票Ｄ１に印字された基本情報コードシンボルＭ１を読み取る（ステップＳ３１）。
【００７１】
次いで、医事用の情報処理端末装置１８のＭＰＵ５１は、薬剤の使用品伝票Ｄ１に印字された使用薬剤情報コードシンボルＭ２を読み取る（ステップＳ３２）。次いで、医事用の情報処理端末装置１８のＭＰＵ５１は、全ての使用薬剤情報コードシンボルＭ２を読み取ったか否かを判定する（ステップＳ３３）。具体的には、医事用の情報処理端末装置１８のＭＰＵ５１は、基本情報コードシンボルＭ１を読み取ることで得られた基本情報の使用薬剤合計数と、既に読み取った使用薬剤情報の数とを比較し、一致している場合に、全ての使用薬剤情報コードシンボルＭ２を読み取ったと判定する。
【００７２】
全ての使用薬剤情報コードシンボルＭ２を読み取っていない場合に（ステップＳ３３；；Ｎｏ）、医事用の情報処理端末装置１８のＭＰＵ５１は、ステップＳ３２に戻る。一方、全ての使用薬剤情報コードシンボルＭ２を読み取った場合に（ステップＳ３３；Ｙｅｓ）、医事用の情報処理端末装置１８のＭＰＵ５１は、読み取った薬剤記録情報を請求等に用いる形式に変換する（ステップＳ３４）。
【００７３】
次いで、医事用の情報処理端末装置１８のＭＰＵ５１は、請求等に用いる形式に変換された薬剤記録情報を用いて請求書の発行や送付などの会計処理を行う（ステップＳ３５）。
【００７４】
以上のように、本実施形態によれば、薬剤登録装置２０は、使用された薬剤を識別する薬剤識別情報を読み取る読取手段３１１を備え、基本情報と、使用薬剤情報とを使用薬剤記憶テーブルＴに記憶させる。生成手段３１５は、使用薬剤記憶テーブルＴに記憶された使用薬剤情報をコード化したコードシンボルを生成する。そして、印字制御手段３１６は、生成されたコードシンボルを所定の用紙に印字出力する。医事用の情報処理端末装置１８は、コードシンボルを読み取ることができるため、手入力で使用薬剤情報などを入力する必要が無い。よって、作業負担を減らすことが可能となる。
【００７５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７６】
なお、上記実施形態では、基本情報と、使用薬剤情報とは、基本情報コードシンボルＭ１と、使用薬剤情報コードシンボルＭ２とに印字されると説明している。しかし、基本情報と、使用薬剤情報とは、同一のコードシンボルに印字してもよい。
【００７７】
なお、上記実施形態では、医事用の情報処理端末装置１８を用いてコードシンボルを読み取ると説明している。しかし、コードシンボルは、医事用の情報処理端末装置１８以外の装置で読み取ってもよい。例えば、手術室以外の部屋には、通信ネットワークが備えられていると考えられる。よって、薬剤登録装置２０で読み取り、他の装置へ送信するなどでもよい。
【００７８】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００７９】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００８０】
１８    医事用の情報処理端末装置
２０    薬剤登録装置
３１    ＭＰＵ
３１１  読取手段
３１３  登録手段
３１６  印字制御手段
Ｄ１    使用品伝票
Ｍ１    基本情報コードシンボル
Ｍ２    使用薬剤情報コードシンボル
Ｔ      使用薬剤記憶テーブル
【先行技術文献】
【特許文献】
【００８１】
【特許文献１】特開２００２−１６３３５７号公報
【図１】
2015158741.tif 000003
【図２】
2015158741.tif 000004
【図３】
2015158741.tif 000005
【図４】
2015158741.tif 000006
【図５】
2015158741.tif 000007
【図６】
2015158741.tif 000008
【図７】
2015158741.tif 000009
【図８】
2015158741.tif 000010
【図９】
2015158741.tif 000011
【図１０】
2015158741.tif 000012
【図１１】
2015158741.tif 000013
【図１２】
2015158741.tif 000014
【図１３】
2015158741.tif 000015